(57)【要約】【課題】自動販売機に大型液晶ディスプレイとタッチパネルを装備することで、情報発信を行う電子広告看看板機能と、子供や車椅子の身障者に配慮して商品の表示位置を変える機能と、災害発生時の災害警報を表示する機能とを備えた自動販売機を提供することを目的とする。【解決手段】ＣＡＴＶ或いは電話回線でネットワークと接続する通信手段を有するタッチパネル自動販売機であって、商品情報を画面に表示する表示手段と、表示手段の画面上に載置されたタッチパネルと、情報を入力する入力手段と、商品情報を記録及び再生する記録手段とを具備し、商品販売の待機状態の際、表示手段がネットワークを介して配信される画像及び音声による宣伝広告を表示し、商品販売の際、タッチパネルを操作することで、該操作と表示手段に表示された商品情報とを連携させるタッチパネルからなることを特徴とするタッチパネル自動販売機。【選択図】図３
2011118807.tif 000002
【特許請求の範囲】
【請求項１】
ＣＡＴＶ或いは電話回線を利用して有線または無線でネットワークと接続する通信手段と、
商品情報を画面に表示する表示手段と、該表示手段の画面上に載置されたタッチパネルと、情報を入力する入力手段と、商品情報を記録及び再生する記録手段とを具備するタッチパネル自動販売機であって、
商品販売の待機状態の際、前記表示手段が前記通信手段で接続する前記ネットワークを介して配信される画像及び音声による宣伝広告を表示し、
商品販売の際、前記表示手段の画面上に載置された前記タッチパネルを操作することで、該操作と前記表示手段に表示された前記商品情報とを連携させる前記タッチパネルからなることを特徴とするタッチパネル自動販売機。
【請求項２】
前記表示手段が、液晶ディスプレイからなることを特徴とする請求項１記載のタッチパネル自動販売機。
【請求項３】
前記表示手段の画面上に載置される前記タッチパネルが、透明体の素材からなる電子スイッチの機能を有し、触れた位置情報を入力する入力装置であることを特徴とする請求項１または請求項２記載のタッチパネル自動販売機。
【請求項４】
前記入力手段が、画像情報を入力するＣＣＤカメラを更に有し、該ＣＣＤカメラにより購入者の身長を検知する画像認識機能を具備することで、前記表示手段に前記購入者の身長に対応した位置に商品情報を表示することを特徴とする請求項１乃至３のいずれか１項に記載のタッチパネル自動販売機。
【請求項５】
前記表示手段に表示される商品情報は、前記タッチパネルに触れて任意の位置に移動できることを特徴とする請求項１乃至４いずれか１項に記載のタッチパネル自動販売機。
【発明の詳細な説明】
【技術分野】
【０００１】
本発明は、自動販売機の前面に映像装置により表示された商品を選択する手段として、タッチパネルを利用したタッチパネル自動販売機に関する。
【背景技術】
【０００２】
近年の薄型液晶ディスプレイの普及と、電話網、ＣＡＴＶ網を代表とする有線通信或いは無線通信回線による、インターネット等の広域ネットワークの発達により、宣伝広告用の看板が、従来の絵看板やネオンサインからリアルタイムで情報を発信する電子看板（デジタルサイネージ）へと変化している。
【０００３】
また、製品模型が並んだショウケースに機械式の選択スイッチが並んでいた従来の自動販売機から、ショウケース部に液晶ディスプレイ等を組み込むことで機械式の商品選択スイッチの他に、購入者に液晶ディスプレイの画面上に貼り付けられたタッチパネルにより、表示された画像に関連する商品情報を、手を触れることで情報サービスを提供できるタッチパネル自動販売機へと変化している。その結果、図６に示すように液晶ディスプレイがショウケース部に組み込まれた自動販売機をニュースや商品宣伝に活用する試みが成されている。
【０００４】
例えば、特許文献１で開示されている自動販売機用タッチパネル式映像装置では、商品選択画面や各種案内等の商品販売に必要なデータをＨＤＤ、ＤＶＤ及びフラッシュメモリに格納することで商品の販売を可能にした自動販売機用タッチパネル式映像装置が紹介されている。
【先行技術文献】
【特許文献】
【０００５】
【特許文献１】特開２００６−１３３９８５号公報
【発明の概要】
【発明が解決しようとする課題】
【０００６】
しかし、大型の液晶ディスプレイとタッチパネルがショウケース部に組み込まれた自動販売機の導入は、始まったばかりで大型液晶ディスプレイの表示に関して有効に活用する方法を模索している段階である。
【０００７】
また、従来の自動販売機と同様、表示される商品選択メニューの位置が高い位置に在り子供や車椅子に乗った身障者の利用を考慮されていない。
【０００８】
本発明は以上の問題点に着目しなされたもので、ＣＡＴＶ網、或いはＰＨＳを含む電話回線網を介してインターネット等のネットワークに接続する自動販売機の通信機能を有効に活用して、商品が購入されていない時は、自動販売機の前面に設置された大型の液晶ディスプレイを利用して新商品やイベント等の宣伝広告、或いは災害発生時の災害警報をリアルタイムで情報発信する電子広告看板として有効に活用することを目的とする。
【０００９】
また、高い位置に設置された従来の機械式の選択スイッチに替わって自動販売機に内蔵されたウェブカメラの認識機能を使い、タッチパネル自動販売機の商品を購入する利用者の身長に合わせて液晶ディスプレイ画面の商品表示位置を自由に変える機能や、画面上に載置されたタッチパネルにより販売する商品の味や材料、産地等の商品情報を提供するサービスや、画面の商品表示位置を購入者の操作で任意の位置に移動することができる機能を備えたタッチパネル自動販売機を提供することを目的とする。
【課題を解決するための手段】
【００１０】
本発明は上述の目的を達成するため、以下（１）〜（５）の構成を備えるものである。
【００１１】
（１）ＣＡＴＶ或いは電話回線を利用して有線または無線でネットワークと接続する通信手段と、
商品情報を画面に表示する表示手段と、該表示手段の画面上に載置されたタッチパネルと、情報を入力する入力手段と、商品情報を記録及び再生する記録手段とを具備するタッチパネル自動販売機であって、
商品販売の待機状態の際、前記表示手段が前記通信手段で接続する前記ネットワークを介して配信される画像及び音声による宣伝広告を表示し、
商品販売の際、前記表示手段の画面上に載置された前記タッチパネルを操作することで、該操作と前記表示手段に表示された前記商品情報とを連携させる前記タッチパネルからなることを特徴とするタッチパネル自動販売機。
【００１２】
（２）前記表示手段が、液晶ディスプレイからなることを特徴とする前記（１）記載のタッチパネル自動販売機。
【００１３】
（３）前記表示手段の画面上に載置される前記タッチパネルが、透明体の素材からなる電子スイッチの機能を有し、触れた位置情報を入力する入力装置であることを特徴とする前記（１）または（２）記載のタッチパネル自動販売機。
【００１４】
（４）前記入力手段が、画像情報を入力するＣＣＤカメラを更に有し、該ＣＣＤカメラにより購入者の身長を検知する画像認識機能を具備することで、前記表示手段に前記購入者の身長に対応した位置に商品情報を表示することを特徴とする前記（１）乃至（３）のいずれか１項に記載のタッチパネル自動販売機。
【００１５】
（５）前記表示手段に表示される商品情報は、前記タッチパネルに触れて任意の位置に移動できることを特徴とする前記（１）乃至（４）いずれか１項に記載のタッチパネル自動販売機。
【発明の効果】
【００１６】
本発明によれば、自動販売機の前面に液晶ディスプレイとタッチパネルを装備することで、ＣＡＴＶ網、電話回線網を介してインターネット等のネットワークに接続する通信機能を備えることで、新商品やイベント等の宣伝広告、或いは災害発生時の災害警報をリアルタイムで情報発信する電子広告看板の機能を備えている。また、高い位置に設置された従来の機械式の選択スイッチを廃し、子供や車椅子を利用する身障者に配慮して商品の表示位置を自由に変える機能を備えた自動販売機を提供することができる。
【図面の簡単な説明】
【００１７】
【図１】本実施例に係るタッチパネル自動販売機の構成図、（ａ）外観図、（ｂ）構成図
【図２】本実施例に係るタッチパネル自動販売機１の電子広告の動作図
【図３】本実施例に係るタッチパネル自動販売機１の動作フローチャートを示す図
【図４】本実施例に係るタッチパネル自動販売機１の機能図、（ａ）画像認識の機能図、（ｂ）タッチパネル操作例を示す図
【図５】本実施例に係るタッチパネル自動販売機１の操作画面を示す図
【図６】従来の自動販売機を示す図
【発明を実施するための形態】
【００１８】
以下、本発明を実施するための形態を実施例により詳しく説明する。
【実施例１】
【００１９】
本発明に係るタッチパネル自動販売機について、大型の液晶ディスプレイの表示機能を利用した情報伝達手段の形態を添付した図面に基づいて説明する。尚、以下に説明する自販機の構成や商品メニューの形状、及び画像認識機能の認知項目の設定は、本発明を最適に説明するものであって自動販売機メーカーの仕様により異なるため本発明を制限するものではない。
【００２０】
図１は画像表示装置の大型の液晶ディスプレイと連携したタッチパネルと、通信機能を具備した本実施例に係るタッチパネル自動販売機の構成図である。図１（ａ）はタッチパネル自動販売機の外観図で、図１（ｂ）はタッチパネル自動販売機の構成図である。従来の自動販売機の商品模型と機械式スイッチを備えたショウケースに代わり、縦長の大型液晶ディスプレイと、高い位置に設置された従来の機械式の選択スイッチを廃して、その大型液晶ディスプレイの画面上に透明素材の電子スイッチの機能を有したタッチパネルを載置した構成となっている。
【００２１】
図中において、１は本実施例に係るタッチパネル自動販売機の本体である。２は情報を表示する大型の液晶ディスプレイである。３はスピーカーである。４は通貨投入部で、コイン投入口４ａと紙幣投入口４ｂからなる。５はコイン返却部である。６は警告灯である。７はディスプレイ２の画面上に載置される透明素材のタッチパネルである。タッチパネル７は電子スイッチとして、触れた位置情報を入力する入力装置の機能を有している。８はＩＣカードやＩＣタグを読み取るＩＣカードリーダである。９は人体を感知する近接センサと画像認識機能を備えたＣＣＤカメラである。ＣＣＤカメラ９はネットワークを介して遠隔操作が可能なＷｅｖカメラの機能も備えている。１０はデジタル通信を行う通信ユニットである。通信用ニット１０には、有線または無線で双方向通信が可能な電話回線１０ａ（通常電話回線とＰＨＳを含む）、ＣＡＴＶ回線１０ｂを備えている。１１はＰＨＳ等の無線通信用のアンテナである。１２はネットワーク通信用（電話回線やＣＡＴＶ回線用）の有線ケーブルである。１３は商品取出口である。２０は自動販売機１の全機能を制御する自販機コントローラである。また、自販機コントローラ２０ではＣＣＤカメラ９の近接センサ及び画像認識機能により商品表示を変更する等の制御が行われる。２１は自動販売機の販売処理を行う自販機入出力管理部である。２２は外部メモリである。２３は商品情報を記録及び再生するためのＣＤ及びＤＶＤのドライブユニットである。２４は非常用バッテリで、外部電源が遮断されると自動的に切り替わるバックアップ用電源である。
【００２２】
図２は本実施例に係るタッチパネル自動販売機１の電子広告の表示動作を示す図である。自動販売機が待機状態の場合には、ＣＡＴＶ回線１０ｂで接続されるネットワークを介して、自販機メーカーのサーバから配信される宣伝広告を画像及び音声で表示する電子広告看板として機能する。駅や街頭に設置されたタッチパネル自動販売機１の大型液晶ディスプレイ２を使って、新商品の紹介、ファッション、グルメ、旅情報、イベント等の宣伝広告、近隣店舗の紹介を動画や効果音で表示することで、通行する人々に対して高い宣伝効果が期待できる。
【００２３】
図３は本実施例に係るタッチパネル自動販売機１の動作を示すフローチャートである。タッチパネル自動販売機１の動作をフローチャートに基づいて説明する。
【００２４】
タッチパネル自動販売機１を立ち上げると、タッチパネル自動販売機１の全機能を制御する自販機コントローラ２０に内蔵された動作プログラムが開始される（Ｓ１００）。タッチパネル自動販売機１は、ＣＡＴＶ回線１０ｂ、電話回線１０ａ等の通信ユニット１０を介し、インターネット等のネットワークに接続して自販機メーカーのサーバと常に接続される（Ｓ１０１）。自販機メーカーのサーバでは、タッチパネル自動販売機１の作動状態を把握する他に、新商品の紹介や、ファッション、グルメ、旅情報、イベント等の宣伝広告、近隣店舗の紹介するための宣伝広告用データを配信している。
【００２５】
ＣＣＤカメラ９に内蔵された人体を感知する近接センサにより、タッチパネル自動販売機１の前に人が立っているかを検知する（Ｓ１０２）。人が立っていない場合は、本発明に係るタッチパネル自動販売機１では、商品販売の待機状態となる。
【００２６】
待機状態においてタッチパネル自動販売機１の前面に設置された大型の液晶ディスプレイ２とスピーカー３からは、自販機メーカーのサーバからネットワークを介して配信される、或いはドライブユニット２３のＣＤ及びＤＶＤなどの記録媒体に収録されている新商品の紹介や、ファッション、グルメ、旅情報、イベント、近隣店舗の紹介等の宣伝広告用の映像と音声とが放送される（Ｓ１０３）。
【００２７】
駅や街角に設置されたタッチパネル自動販売機１の大型の液晶ディスプレイ２とスピーカー３から放送される宣伝広告用の映像と音声により、説得力のある高い宣伝効果を期待できる。また、宣伝広告を放送することで広告元と提携し、販売商品の価格を安く設定して販売することが可能であり、購入者にもメリットのある商品を多く販売できる販売効率の高いタッチパネル自動販売機１を提供できる。
【００２８】
その他に、地震等の自然災害の警報信号が発令されていないか確認し、警報が無ければステップＳ１０２へ戻る。災害等の緊急事態が発生した場合には（Ｓ１１４）、警告灯６及び警報音で注意を喚起して、ＣＡＴＶ回線１０ｂ等のネットワークを介していち早く入手した避難警報や緊急情報をリアルタイムで表示伝達し、緊急避難場所や防災情報を放映する災害情報伝達装置としてタッチパネル自動販売機１の大型の液晶ディスプレイ２とスピーカー３を有効に活用することができる。
【００２９】
次にステップＳ１０２にて人体を感知する近接センサが、タッチパネル自動販売機１の前に人が立っていることを検知した場合、購入者が画面に手を触れたか確認し（Ｓ１０５）、透明素材のタッチパネル７が画面全体に載置されているため画面上の手を触れた位置に商品画像を任意に表示させることができる（Ｓ１０６）。
【００３０】
画面に触れていなければ、本実施例に係るタッチパネル自動販売機１では、装備されているＣＣＤカメラ９が画像認識機能を備えるため自動販売機の前に立ち止まった購入者の背の高さを検知し、身長に応じて液晶ディスプレイ２に表示する商品メニューの位置を変えることができる（Ｓ１０７）。ＣＣＤカメラ９の画像認識機能は内蔵するプログラムで処理されるもので、顔や骨格、体温等の識別機能がありＣＣＤカメラ９の仕様で異なる。
【００３１】
従来の自動販売機では、特に子供や車椅子を利用した身障者に対する配慮が成されず選択スイッチは高い位置に配置されていたが、図４に示すＣＣＤカメラ９が有する画像認識機能によって人の高さを検知できるため、商品購入者の身長に合わせて画面の表示位置を上下の２箇所に変える機能を具備し、例えば図４（ａ）に示すように身長が１３０ｃｍ以下の子供や車椅子を利用した身障者には画面の下側に（Ｓ１０８）、１３０ｃｍを超える人には画面の上側に商品メニューを表示させる等のサービスを提供する（Ｓ１０９）。
【００３２】
購入者は、図４（ｂ）に示すようにタッチパネル７に手を触れることでその位置に商品画像を移動させる機能を具備することで、商品画像を任意の位置に表示させることができる。
【００３３】
購入者の身長に合わせた位置に商品画面が表示された後、通貨投入を検知する（Ｓ１１０）。例えば珈琲のタッチパネル自動販売機では、大型の液晶ディスプレイ２に珈琲豆の種類や、エスプレソ、カフェオレ、アメリカン等の珈琲の種類、及び砂糖やミルクの増減、ラージ、ミデアム、スモール等のカップのサイズが選択できる商品アイコンや矢印等を表示して表示商品に触れることで、表示商品とタッチパネル７の電子スイッチ機能とが連携して商品を選択入力できる。
【００３４】
また、食品、飲料水、タバコの自動販売機の場合も同様で、大型の液晶ディスプレイ２に販売商品のリアルな映像を大きく表示することで購買意欲を高めることができる。
【００３５】
図５（ａ）に示すように購入者には、商品アイコンの１ｓｔタッチで味や材料、産地などの商品情報が、ドライブユニット２３のＣＤ及びＤＶＤなどの記録媒体に収録されている商品情報、或いはネットワークを介して配信される商品情報を使って表示し（Ｓ１１１）、２ｎｄタッチで商品を選択して購入できるサービスが提供できる（Ｓ１１２）。
【００３６】
また、図５（ｂ）に示すように例えば珈琲購入の際に購入者の珈琲抽出中の待ち時間を利用して、タッチパネルに手を触れて画像を移動させたり、早く動かすことで表示された画像を回転させたり、跳ねたり、揺らせる等の画像を変形させる趣向や、ルーレットゲーム等の当りくじを設けて娯楽性を付加することで購入者の待ち時間を快適にして購買意欲を刺激する自動販売機を提供することが可能である。
【００３７】
また、地震等の自然災害の警報信号が発令されていないか確認し（Ｓ１１３）、警報が発令されていれば、警報番組を放送する（Ｓ１１４）。
【００３８】
以上説明したように本発明に係るタッチパネル自動販売機は、ＣＡＴＶ回線網、或いはＰＨＳを含む電話回線網を介してインターネット等のネットワークに接続する通信機能を有効に活用して、商品が販売されていない待機状態の時は、自動販売機の前面に設置された大型の液晶ディスプレイを利用して新商品の紹介や旅行、グルメ、ファッション、イベント等の宣伝広告、或いは災害発生時の災害警報をリアルタイムで情報発信する電子広告看板としての機能を備えたタッチパネル自動販売機を提供することができる。
【００３９】
また、商品販売の際にはタッチパネル自動販売機に内蔵されたウェブカメラの認識機能を使い、商品を購入する子供や車椅子を利用する身障者に配慮した身長に合わせて商品表示位置を変える機能、販売する商品の味や材料、産地等の商品情報を提供するサービス、商品表示位置を購入者の操作で任意の位置に移動や変形ができる娯楽性を備えたタッチパネル自動販売機を提供することができる。
【符号の説明】
【００４０】
１      自動販売機
２      液晶ディスプレイ（表示手段に対応）
３      スピーカー
４      通貨投入部
４ａ    コイン投入口
４ｂ    紙幣投入口
５      コイン返却部
６      警告灯
７      タッチパネル（入力装置に対応）
８      ＩＣカードリーダ
９      ＣＣＤカメラ
１０    通信ユニット（通信手段に対応）
１０ａ  電話回線
１０ｂ  ＣＡＴＶ回線
１１    アンテナ
１２    有線ケーブル
２０    自販機コントローラ
２１    自販機入出力管理部
２２    外部メモリ（記録手段に対応）
２３    ＣＤ、ＤＶＤドライブユニット（記録手段に対応）
２４    非常用バッテリ
【図１】
2011118807.tif 000003
【図３】
2011118807.tif 000004
【図２】
2011118807.tif 000005
【図４】
2011118807.tif 000006
【図５】
2011118807.tif 000007
【図６】
2011118807.tif 000008